(57)【要約】【課題】  事故が発生した際、事故当事者移動体に設置される記憶装置以外の記憶装置に事故当時の画像を示す画像情報を記録させること。【解決手段】  車両２−１は、自身が所定状態になったことを検出し、所定状態が検出されたときの車両２−１の位置を示す所定状態検出位置データと、そのときの時刻を示す所定状態検出時刻データと、を取得する。通信ネットワーク５は、所定状態検出位置データと所定状態検出時刻データとに基づいて、記憶装置を選択する。車両２−１は、選択された記憶装置に対し、各記憶装置に備えられるカメラにより撮影される画像情報の送信を要求することを示す送信要求データを送信する。【選択図】図１
2007013486.tif 000002
【特許請求の範囲】
【請求項１】
撮像手段を備えた複数の記憶装置の一部又は全部に対して、移動体の画像情報の記録を要求するための画像送信要求装置であって、
前記移動体の状態検出手段と、
前記状態検出手段により所定状態が検出されたときの前記移動体の位置を示す位置データを取得する位置データ取得手段と、
前記状態検出手段により所定状態が検出された時刻を示す時刻データを取得する時刻データ取得手段と、
前記取得された位置データと前記取得された時刻データとに基づいて、前記記憶装置を選択する記憶装置選択手段と、
前記選択された記憶装置に対し、前記各記憶装置に備えられる撮像手段により撮影される画像情報の送信を要求することを示す送信要求データを送信する送信要求データ送信手段と、
を含むことを特徴とする画像送信要求装置。
【請求項２】
請求項１に記載の画像送信要求装置において、
前記送信要求データは、前記位置データ及び前記時刻データを含む、
ことを特徴とする画像送信要求装置。
【請求項３】
撮像手段を備えた複数の記憶装置と、前記複数の記憶装置の一部又は全部に対して、移動体の画像情報の記録を要求するための画像送信要求装置と、を含むレコーダシステムであって、
前記画像送信要求装置は、
前記移動体の状態検出手段と、
前記状態検出手段により所定状態が検出されたときの前記移動体の位置を示す位置データを取得する位置データ取得手段と、
前記状態検出手段により所定状態が検出された時刻を示す時刻データを取得する時刻データ取得手段と、
前記取得された位置データと前記取得された時刻データとに基づいて、前記記憶装置を選択する記憶装置選択手段と、
前記選択された記憶装置に対し、前記各記憶装置に備えられる撮像手段により撮影される画像情報の送信を要求することを示す送信要求データを送信する送信要求データ送信手段と、
を含み、
前記各記憶装置は、
前記画像送信要求装置により送信される送信要求データを受信する受信手段と、
前記送信要求データを受信した場合に、前記撮像手段により撮像されている画像情報を前記画像送信要求装置に対して送信する画像情報送信手段と、
を含み、
前記画像送信要求装置は、
前記送信される画像情報を受信し、前記送信要求データと対応付けて記憶する画像情報記憶手段、
をさらに含む、
ことを特徴とするレコーダシステム。
【請求項４】
請求項３に記載のレコーダシステムにおいて、
前記送信要求データは、前記位置データ及び前記時刻データを含み、
前記画像情報送信手段は、前記送信要求データを受信した場合に、前記撮像手段により撮像されている画像情報であって、該送信要求データに含まれる前記位置データ及び前記時刻データに応じた画像情報を前記画像送信要求装置に対して送信する、
ことを特徴とするレコーダシステム。
【請求項５】
請求項４に記載のレコーダシステムにおいて、
前記各記憶装置は、
定期的に前記撮像手段により撮像される画像情報を取得する画像情報定期取得手段、
をさらに含み、
前記画像情報送信手段は、前記送信要求データを受信した場合に、該送信要求データに含まれる位置データ及び時刻データに応じて前記画像情報定期取得手段により定期的に取得される画像情報の中から少なくとも１つの画像情報を選出し、該選出した画像情報を前記画像送信要求装置に対して送信する、
ことを特徴とするレコーダシステム。
【請求項６】
請求項３乃至５のいずれかに記載のレコーダシステムにおいて、
前記画像送信要求装置は、
前記各記憶装置の位置を示す位置データを取得する記憶装置位置データ取得手段と、
現在時刻を示す現在時刻データを取得する現在時刻データ取得手段と、
をさらに含み、
前記記憶装置選択手段は、前記取得された位置データにより示される位置から、前記取得された時刻データ及び前記取得される現在時刻に応じた範囲内に、前記記憶装置位置データ取得手段により取得される位置データにより示される位置がある記憶装置を選択する、
ことを特徴とするレコーダシステム。
【発明の詳細な説明】
【技術分野】
【０００１】
本発明は画像送信要求装置、及びレコーダシステムに関する。
【背景技術】
【０００２】
近年のトラック、バス、タクシーなどの移動体においては、ドライビング記憶装置が設置されることが多くなっている。ドライビング記憶装置は特定のデータを常時記録する記憶装置が移動体に設置されたものであり、具体的には、設置された移動体の位置を示す位置情報や時刻を示す時刻情報を運行データとして常時記録する。ドライビング記憶装置はまた、記録した運行データをデータセンターに送信する処理も行う。データセンターに設置される集約サーバでは蓄積した運行データが編集され、移動体の運行状況を把握するのに役立てられている。
【０００３】
上記運行データのひとつに、事故データというものがある。事故データは、事故当時の時刻情報、位置情報などを示すデータである。ドライビング記憶装置は、自身の設置された移動体の事故を検知した場合に事故データを記録するとともに、該事故データをデータセンターに送信する（例えば特許文献１参照）。なお、ドライビング記憶装置にはカメラを備えるものもあり、そのようなドライビング記憶装置の記録・送信する事故データには、該カメラで撮影された事故当時の画像を示す画像情報も含まれる。
【特許文献１】特開２００２−４２２８８号公報
【発明の開示】
【発明が解決しようとする課題】
【０００４】
しかしながら、これまでのドライビング記憶装置は、自身が設置された移動体の事故しか検知できない。このためデータセンターの集約サーバが取得できる事故当時の画像を示す情報は、事故の当事者である移動体に設置されたドライビング記憶装置から送信される事故データに含まれるものに限られ、後に事故の内容を把握するために十分な画像情報が得られない場合があった。
【０００５】
本発明は上記課題を解決するためになされたものであって、その目的の一つは、事故が発生した際、事故当事者移動体に設置される記憶装置以外の記憶装置に事故当時の画像を示す画像情報を記録させることを可能にする画像送信要求装置、及びレコーダシステムを提供することにある。
【課題を解決するための手段】
【０００６】
上記課題を解決するための本発明に係る画像送信要求装置は、撮像手段を備えた複数の記憶装置の一部又は全部に対して、移動体の画像情報の記録を要求するための画像送信要求装置であって、前記移動体の状態検出手段と、前記状態検出手段により所定状態が検出されたときの前記移動体の位置を示す位置データを取得する位置データ取得手段と、前記状態検出手段により所定状態が検出された時刻を示す時刻データを取得する時刻データ取得手段と、前記取得された位置データと前記取得された時刻データとに基づいて、前記記憶装置を選択する記憶装置選択手段と、前記選択された記憶装置に対し、前記各記憶装置に備えられる撮像手段により撮影される画像情報の送信を要求することを示す送信要求データを送信する送信要求データ送信手段と、を含むことを特徴とする。
【０００７】
本発明によれば、画像送信要求装置は、ある移動体が所定状態となったこと（例えば事故）を検出した際、記憶装置に事故当時の画像を示す画像情報を送信させることができるので、事故当事者移動体に設置される記憶装置以外の記憶装置に事故当時の画像を示す画像情報を送信させることが可能になる。
【０００８】
なお、上記画像送信要求装置において、前記送信要求データは、前記位置データ及び前記時刻データを含む、こととしてもよい。
【０００９】
また、本発明に係るレコーダシステムは、撮像手段を備えた複数の記憶装置と、前記複数の記憶装置の一部又は全部に対して、移動体の画像情報の記録を要求するための画像送信要求装置と、を含むレコーダシステムであって、前記画像送信要求装置は、前記移動体の状態検出手段と、前記状態検出手段により所定状態が検出されたときの前記移動体の位置を示す位置データを取得する位置データ取得手段と、前記状態検出手段により所定状態が検出された時刻を示す時刻データを取得する時刻データ取得手段と、前記取得された位置データと前記取得された時刻データとに基づいて、前記記憶装置を選択する記憶装置選択手段と、前記選択された記憶装置に対し、前記各記憶装置に備えられる撮像手段により撮影される画像情報の送信を要求することを示す送信要求データを送信する送信要求データ送信手段と、を含み、前記各記憶装置は、前記画像送信要求装置により送信される送信要求データを受信する受信手段と、前記送信要求データを受信した場合に、前記撮像手段により撮像されている画像情報を前記画像送信要求装置に対して送信する画像情報送信手段と、を含み、前記画像送信要求装置は、前記送信される画像情報を受信し、前記送信要求データと対応付けて記憶する画像情報記憶手段、をさらに含む、ことを特徴とする。
【００１０】
このようにすることにより、移動体が所定状態となったことが検出された場合に、該所定状態が検出されたときの画像情報を画像送信要求装置において記憶することができる。
【００１１】
なお、上記レコーダシステムにおいて、前記送信要求データは、前記位置データ及び前記時刻データを含み、前記画像情報送信手段は、前記送信要求データを受信した場合に、前記撮像手段により撮像されている画像情報であって、該送信要求データに含まれる前記位置データ及び前記時刻データに応じた画像情報を前記画像送信要求装置に対して送信する、こととしてもよい。
【００１２】
さらに、上記レコーダシステムにおいて、前記各記憶装置は、定期的に前記撮像手段により撮像される画像情報を取得する画像情報定期取得手段、をさらに含み、前記画像情報送信手段は、前記送信要求データを受信した場合に、該送信要求データに含まれる位置データ及び時刻データに応じて前記画像情報定期取得手段により定期的に取得される画像情報の中から少なくとも１つの画像情報を選出し、該選出した画像情報を前記画像送信要求装置に対して送信する、こととしてもよい。
【００１３】
このようにすることにより、記憶装置は、定期的に取得している画像情報の中から送信要求データを送信した記憶装置で所定状態が検出されたときの画像情報を選出して送信することができる。
【００１４】
また、上記レコーダシステムにおいて、前記画像送信要求装置は、前記各記憶装置の位置を示す位置データを取得する記憶装置位置データ取得手段と、現在時刻を示す現在時刻データを取得する現在時刻データ取得手段と、をさらに含み、前記記憶装置選択手段は、前記取得された位置データにより示される位置から、前記取得された時刻データ及び前記取得される現在時刻に応じた範囲内に、前記記憶装置位置データ取得手段により取得される位置データにより示される位置がある記憶装置を選択する、こととしてもよい。
【００１５】
このようにすることにより、所定状態が検出されてからの経過時間に応じて、送信要求データを送信する記憶装置の位置の範囲を決定することができるようになる。
【発明を実施するための最良の形態】
【００１６】
本発明の実施の形態について、図面を参照しながら説明する。
【００１７】
図１は、本実施形態に係るレコーダシステム１の構成図である。同図に示すように、レコーダシステム１は、複数の車両２、複数の固定設置型記憶装置３、複数の基地局装置４、通信ネットワーク５、ドライブレコーダ記録センター６を含んで構成される。
【００１８】
レコーダシステム１は、ドライブレコーダ記録センター６が車両２についての事故・事件の客観的な記録データを収集できるようにするためのシステムである。
【００１９】
車両２は、例えばトラックや自家用車などの移動体であって、車両搭載型の記憶装置及び移動体通信システムで使用される移動局装置を搭載しているものである。一方、固定設置型記憶装置３は、例えば電柱や電話ボックスなど、道路又はその脇に設置される固定設置型の記憶装置であり、移動体通信システムで使用される移動局装置を搭載している。
【００２０】
なお、この記憶装置は、後述するようにカメラなどの情報取得手段を備えており、逐次、該情報取得手段により記録された記録データと、記録した時刻と、を対応付けて記憶している。
【００２１】
基地局装置４と通信ネットワーク５の一部とは、移動体通信システムを構成する。この移動体通信システムはＣＤＭＡ方式を採用する移動体通信システムである。後に詳述するように、ＣＤＭＡ方式を採用する移動体通信システムでは、各移動局装置が同期タイミングを容易に取得できる。
【００２２】
通信ネットワーク５の他の一部は、例えばインターネットを含むＴＣＰ／ＩＰ網であってもよいし、ドライブレコーダ記録センター６と移動体通信システムとを直収接続する場合には、その直収接続に係る通信回線であってもよい。
【００２３】
例えば車両２−１が、自身が事故などの所定状態に至ったことを検出したとする。このとき、車両２−１は自身の位置を示す位置データと、時刻を示す事故データと、を取得する。さらに、車両２−１は基地局装置４及び通信ネットワーク５を通じて他の記憶装置すなわち車両２や固定設置型記憶装置３を選択し、選択した記憶装置に対して、記録データを送信するよう要求する。
【００２４】
記録データの送信を要求された記憶装置は記録データの中から送信すべき記録データを選択し、指定された送信先（例えばドライブレコーダ記録センター６）に記録データを送信する。ドライブレコーダ記録センター６に送信されるものとすると、ドライブレコーダ記録センター６では、各記憶装置が送信した記録データに基づいて、車両２−１が所定状態に至った際の客観的な記録データを作成する。
【００２５】
レコーダシステム１では、以上のようにして、事故・事件の客観的な記録データを収集することを可能にしている。
【００２６】
なお、レコーダシステム１では、記憶装置がグルーピングされることとしてもよい。すなわち、複数の記憶装置をまとめて１つのグループとし、そのグループ内においてのみ、事故・事件の客観的な記録データを収集する処理を行うようにすることとしてもよい。
【００２７】
以下、レコーダシステム１に含まれる各装置の具体的な処理について、詳細に説明する。
【００２８】
図２は、車両２のシステム構成図である。同図に示すように、車両２は、制御装置１０、ＧＰＳアンテナ２１、ＧＰＳ受信機２２、舵センサー２３、原動機２４、スロットルセンサー２５、ブレーキセンサー２６、カメラ２７、加速度センサー２８、速度計２９、携帯無線通信装置３０、サンプリングタイミング保持装置３１、サンプリングタイミング同期装置３２、時計装置３３、メモリ装置３４を含んで構成される。
【００２９】
制御装置１０は、記憶装置としての車両２の各部を制御するとともに、記録要求処理、記録要求応答処理、客観的記録データ作成処理などの各処理を行う。また、制御装置１０は、下記各情報取得手段により取得されるデータに基づいて、車両２が所定状態に至ったことを検出する。
【００３０】
ＧＰＳ受信機２２、舵センサー２３、原動機２４、スロットルセンサー２５、ブレーキセンサー２６、カメラ２７、加速度センサー２８、及び速度計２９は、情報取得手段として機能する。
【００３１】
すなわち、ＧＰＳ受信機２２はＧＰＳアンテナ２１において受信されたＧＰＳ衛星からの情報に基づき、車両２の位置を示す位置データを取得する。また、舵センサー２３は、ジャイロセンサ及び方位磁石からなり、車両２の向きを示す方位データを取得する。原動機２４は、車両２に備えられる内燃機関や電気モータであり、自身が駆動しているか否かを示す駆動状態データを取得する。スロットルセンサー２５は、車両２の運転者がスロットルを開けているか否か、及び開けている場合にはその度合い、を示すスロットルデータを取得する。ブレーキセンサー２６は、車両２の運転者がブレーキを効かせているか否か、及び効かせている場合にはその度合い、を示すブレーキデータを取得する。カメラ２７は、例えば車両２の外の様子を撮影できるよう構成されており、定期的に撮影することにより撮影データを取得する。加速度センサー２８及び速度計２９は、車両２の図示しない車輪の回転量により、それぞれ車両２の加速度を示す加速度データ及び車両２の速度を示す速度データを取得する。
【００３２】
携帯無線通信装置３０は、上記移動体通信システムの移動局装置として機能する通信装置である。この携帯無線通信装置３０は、制御装置１０の指示に従い、制御装置１０から出力されるデータを基地局装置４に対して送信する処理や、基地局装置４から送信されるデータを受信し、制御装置１０に出力する処理を行う。なお、基地局装置４から送信されるデータには、移動体通信システムのシステムタイムを示すシステムタイムデータが定期的に含まれている。
【００３３】
サンプリングタイミング保持装置３１及びサンプリングタイミング同期装置３２は、上記システムタイムデータを取得することにより、後述するサンプリングタイミング補正処理を行う。この処理において、サンプリングタイミング保持装置３１及びサンプリングタイミング同期装置３２は、各情報取得手段の情報取得タイミングを決定し、制御装置１０に出力する。制御装置１０は、入力された情報取得タイミングに応じて各情報取得手段からデータを取得する。
【００３４】
時計装置３３はいわゆる時計であり、現在時刻データを保持している。また、時計装置３３は上記システムタイムデータを取得し、時刻合わせ処理を行う。
【００３５】
メモリ装置３４は、制御装置１０のワークメモリとして動作する。また、このメモリ装置３４は、制御装置１０によって行われる各種処理に関わるプログラムやパラメータを保持している。なお、記憶装置をグルーピングする場合、このパラメータには、記憶装置がどのグループに属するのかを示す情報であるグループコードが含まれる。
【００３６】
また、メモリ装置３４は、上記各情報取得手段により取得されたデータと、上記各時計装置３３により取得される現在時刻データと、を対応付け、記録データとして記憶する。なお、メモリ装置３４はリングバッファ状の構造を有する記憶領域を備えており、この記録データは、このリングバッファ状の記憶領域にＦＩＦＯ(First In First Out，先入れ先出し)方式で記憶される。
【００３７】
以下、車両２において実行される各処理について説明する。
【００３８】
まず、時計装置３３の時刻合わせ処理について、図３に示す車両２の処理フロー図を参照しながら説明する。初めに、携帯無線通信装置３０は、基地局装置４からＣＤＭＡ携帯無線電波を受信する（Ｓ１００）。このＣＤＭＡ携帯無線電波には、上述のように移動体通信システムのシステムタイムを示すシステムタイムデータが含まれており、携帯無線通信装置３０は、ＣＤＭＡ携帯無線電波と同期することにより、このシステムタイムデータを取得し、時計装置３３に出力する（Ｓ１０１）。時計装置３３は、入力されたシステムタイムデータにより示されるシステムタイム（世界時間）を、ローカルタイム（日本時間）に換算し（Ｓ１０２）、保持している現在時刻データを該ローカルタイムに合わせる（Ｓ１０３）。時計装置３３の時刻合わせ処理は、このようにして実施される。
【００３９】
なお、時計装置３３の時刻合わせ処理では、他にも、例えばＧＰＳ受信機２２の取得しているＧＰＳ衛星からの電波に含まれるシステムタイムデータに基づいて、時刻合わせを行うこととしてもよい。また、ＣＤＭＡ携帯無線電波とＧＰＳ衛星からの電波の両方に基づいて時刻合わせを行うこととしてもよい。
【００４０】
時計装置３３は、自身の時刻合わせをＣＤＭＡ携帯無線電波に基づいて行ったか、ＧＰＳ衛星からの電波に基づいて行ったか、両方に基づいて行ったか、或いは時刻合わせできていないか、を示す時刻情報源情報を、制御装置１０を介してメモリ装置３４に記憶する。
【００４１】
次に、車両２において移動体通信システムと同期を合わせるためのサンプリングタイミング補正処理について、図４に示す車両２の処理フロー図を参照しながら説明する。
【００４２】
まず、携帯無線通信装置３０は、基地局装置４からＣＤＭＡ携帯無線電波を受信する（Ｓ２００）。ＣＤＭＡ方式を採用する移動体通信システムでは、１秒間に１．２２８８ＭチップのＰＮ符号（拡散コード）を使用する。また、ＰＮ符号の１周期は２１５チップである。このため、ＰＮ符号の１周期に要する時間は２１５／１．２２８８Ｍ秒となり、７５周期に要する時間Ｔ１は２秒間となる。つまり、２秒ごとにＰＮ符号のスタート位置が０秒の位置にくることになる。サンプリングタイミング同期装置３２は、このようなＰＮ符号の性質を利用し、０秒の位置を検出する。すなわち、サンプリングタイミング同期装置３２は、携帯無線通信装置３０の受信するＰＮ符号のシーケンスを監視することによって、スタート位置が０秒の位置となるＰＮ符号を検出している（Ｓ２０１）。このようにして、サンプリングタイミング同期装置３２は、各情報取得手段の情報取得タイミングを決定している。
【００４３】
サンプリングタイミング保持装置３１は、サンプリングタイミング同期装置３２において検出された０秒位置に基づき、保持しているサンプリングタイミングを補正する（Ｓ２０２）。制御装置１０は、このようにして補正されながらサンプリングタイミング保持装置３１に保持されるサンプリングタイミングに基づき、情報取得タイミングを取得する。
【００４４】
サンプリングタイミング保持装置３１におけるサンプリングタイミング補正処理について、より詳細に説明する。サンプリングタイミング保持装置３１は、例えば情報取得タイミングＴ２が２０ｍｓごとである場合、２０ｍｓ周期のサンプリングタイミングを保持することが好適である。この場合、サンプリングタイミング保持装置３１は、このタイミングを２秒ごとに補正する。この処理について、図５を参照しながら説明する。
【００４５】
図５は、サンプリングタイミング補正処理の説明図である。同図に示すように、サンプリングタイミング保持装置３１は、Ｔ１（２秒）ごとに０秒位置を示すタイミング４０を取得する。そして、Ｔ２周期のサンプリングタイミング４１のうち、最もタイミング４０に近いサンプリングタイミング４１をタイミング４０に合わせるようにしている。
【００４６】
次に、車両２−１が所定状態を検出した場合の記録要求処理及び記録要求応答処理について、図６に示す車両２−１及び車両２−２の処理フロー図及び図７に示すレコーダシステム１のシーケンス図を参照しながら説明する。
【００４７】
まず、車両２−１と車両２−２が走行開始する（Ｓ３００，Ｓ３５０）。走行開始すると、両者はともに各情報取得手段によるデータ取得及びメモリ装置３４のリングバッファ状の記憶領域への記録データの記録を開始する（Ｓ３０１，Ｓ３５１）。
【００４８】
車両２−１においてアクシデントなどのイベント（所定状態）が発生する（Ｓ３０２）と、車両２−１は記憶していた記録データを、メモリ装置３４のリングバッファ状の記憶領域以外の記憶領域に保存する（Ｓ３０３）。また、車両２−１は、車両２−１の付近にある記憶装置に対して、各記憶装置が記憶している記録データの保存を依頼する（Ｓ３０４）。
【００４９】
具体的には、車両２−１は「ドライブ記録要求メッセージ」を生成して通信ネットワーク５に対して送信し（Ｓ３１１）、通信ネットワーク５は「ドライブ記録要求報知メッセージ」を生成して一斉報知する（Ｓ３１２）。
【００５０】
保存依頼（「ドライブ記録要求報知メッセージ」）を受けた車両２−２は、依頼通り記録データの保存を行うか否かを判断する（Ｓ３５２）。この判断処理の詳細については後述する。記録データの保存を行うと判断した場合、記録データ保存が完了したら（Ｓ３５３）、車両２−２は、ドライブレコーダ記録センター６に対して保存した記録データを送信する（Ｓ３５４）。ドライブレコーダ記録センター６は、このようにして送信された記録データを含む保存データリストを作成することにより、記録データを記憶する（Ｓ３７０）。
【００５１】
なお、車両２−２はＳ３５２の判断をした場合にその結果を「ドライブ記録要求応答メッセージ」として車両２−１に通知することとしてもよい（Ｓ３１３，Ｓ３１４）。この場合、「ドライブ記録要求応答メッセージ」を受信した車両２−１は、上記判断結果が記録データの保存を行うことを示している場合に、車両２−２に対して具体的な保存依頼内容を示す「ドライブ記録送信要求メッセージ」を送信することとしてもよい（Ｓ３１５，Ｓ３１６）。そして、車両２−２は、「ドライブ記録送信要求メッセージ」に含まれる保存依頼内容に応じた記録データを、ドライブレコーダ記録センター６に対して送信することとしてもよい（Ｓ３１７，Ｓ３１８）。
【００５２】
以上のようにして、車両２−１が所定状態を検出した場合の記録要求処理及び記録要求応答処理が行われる。以下では、以上説明した各処理について、各メッセージのフォーマットを参照しながら、より詳細に説明する。
【００５３】
図８は、所定状態を検出した車両２−１が送信する「ドライブ記録要求メッセージ」のフォーマット図である。同図に示すように、「ドライブ記録要求メッセージ」は「メッセージ識別子」、「メッセージ順番号」、「セクターＩＤ」、「グループコード」、「エマージェンシークラス」、「記録時刻」、「緯度情報」、「経度情報」の各フィールドから構成される。
【００５４】
「メッセージ識別子」は、このメッセージが「ドライブ記録要求メッセージ」であることを示す情報である。「メッセージ順番号」は、送信時にメッセージに付与される番号である。この番号は、メッセージの種類に関わらず送信側通信装置においてシーケンシャルに付与されてメッセージの送信順を示し、受信側通信装置において受信順の正当性確認のために使用される。
【００５５】
「セクターＩＤ」は、車両２−１に搭載されている携帯無線通信装置３０の在圏する基地局装置４のＩＤ番号を示す情報である。「グループコード」は、記憶装置をグルーピングする場合に、車両２−１のメモリ装置３４に記憶されるグループコードが設定される。
【００５６】
「エマージェンシークラス」は、車両２−１の検出した所定状態を示す情報である。例えば「生命に関わる緊急事態」「軽微な緊急事態」「エアバッグが開放」「車両対車両の事故」「車両対人間の事故」「車両対構造物の事故」「スタック」「技術的なトラブル」などの情報が設定される。なお、これらのいずれに該当するかについては、各情報取得手段により取得された記録データに基づいて、所定のアルゴリズムにより制御装置１０が判断する。
【００５７】
「記録時刻」は、車両２−１が所定状態を検出したときに時計装置３３により取得された現在時刻データ（所定状態検出時刻データ）である。上述のように、この現在時刻データは移動体通信システムと同期している。「緯度情報」、「経度情報」は、記憶装置が所定状態を検出したときにＧＰＳ受信機２２が取得していた位置データ（所定状態検出位置データ）である。
【００５８】
以上のようなフォーマットを有する「ドライブ記録要求メッセージ」を受信した通信ネットワーク５は、「ドライブ記録要求報知メッセージ」を生成し、一斉送信する報知メッセージとして送信する。図９は、「ドライブ記録要求報知メッセージ」のフォーマット図である。同図に示すように、この「ドライブ記録要求報知メッセージ」に設定されるフィールドは「ドライブ記録要求メッセージ」と同様であり、その内容も「ドライブ記録要求メッセージ」のコピーである。すなわち、通信ネットワーク５は、受信した「ドライブ記録要求メッセージ」を転送する。
【００５９】
なお、通信ネットワーク５は、「ドライブ記録要求メッセージ」に含まれる「記録時刻」と、自身が取得する現在時刻データと、に基づいて、「ドライブ記録要求報知メッセージ」を一斉報知する基地局装置４を選択する。この具体的な例を図１０に示す。
【００６０】
図１０は、通信ネットワーク５における基地局装置選択の説明図である。同図に示すように、「当該基地局」は、所定状態を検出した車両２−１が、所定状態検出時に在圏していた基地局装置４である。この情報は「ドライブ記録要求メッセージ」に「セクターＩＤ」として示されている。
【００６１】
一般に、移動体通信システムでは基地局装置４のエリアがセル状に配置されており、同図に示す「周辺基地局（近接群）」は「当該基地局」と隣接するエリアを有する基地局装置４、「周辺基地局（準近接群）」は「周辺基地局（近接群）」と隣接するエリアを有する基地局装置４であって「当該基地局」ではない基地局装置４をそれぞれ指す。
【００６２】
図１１は、通信ネットワーク５の処理フローを示す図である。以下、図１０及び図１１を参照しながら、通信ネットワーク５における基地局装置選択について詳細に説明する。
【００６３】
通信ネットワーク５は、「ドライブ記録要求メッセージ」を受信し（Ｓ５０１）、受信した「ドライブ記録要求メッセージ」に含まれる「記録時刻」と自身が取得する現在時刻データを比較する（Ｓ５０２）。その差が１分以内である場合、「当該基地局」のみを選択し、「ドライブ記録要求報知メッセージ」を一斉報知する（Ｓ５０３）。この差が１分から３分である場合、「当該基地局」と「周辺基地局（近接群）」を選択し、「ドライブ記録要求報知メッセージ」を一斉報知する（Ｓ５０４）。この差が３分以上である場合、「当該基地局」、「周辺基地局（近接群）」、及び「周辺基地局（準近接群）」を選択し、「ドライブ記録要求報知メッセージ」を一斉報知する（Ｓ５０５）。このようにして通信ネットワーク５は基地局装置選択を実施し、時間の経過とともに、一斉報知するエリアを広げている。
【００６４】
「ドライブ記録要求報知メッセージ」を受信した車両２−２は、該メッセージに含まれる各情報に基づき、自身のメモリ装置３４のリングバッファに記録している記録データを保存すべきであるか否かを判断する。具体的には、自身のメモリ装置３４に記憶しているグループコードと、「ドライブ記録要求報知メッセージ」に含まれる「グループコード」とが一致しているか否かを判断し、一致している場合にのみ、自身のメモリ装置３４のリングバッファに記録している記録データを保存すべきであると判断することとしてもよい。また、自身のメモリ装置３４のリングバッファに「ドライブ記録要求報知メッセージ」に含まれる「記録時刻」と対応付けて記憶している位置データと、「ドライブ記録要求報知メッセージ」に含まれる位置データ（「緯度情報」及び「経度情報」）と、に基づいて、「記録時刻」に事故現場近辺にいたかいなかったかを判断し、「記録時刻」に事故現場近辺にいたと判断する場合にのみ、自身のメモリ装置３４のリングバッファに記録している記録データを保存すべきであると判断することとしてもよい。
【００６５】
車両２−２は、このようにして、自身のメモリ装置３４に記録データを保存するか否かを判断し、保存する場合には、リングバッファに記録している記録データを読み出し、リングバッファでない記憶領域に保存する。この保存処理は、後述する記録時間長により示される期間続けられる。
【００６６】
次に、車両２−２は、通信ネットワーク５を介し、車両２−１に対して「ドライブ記録要求応答メッセージ」を送信する。図１２は、この「ドライブ記録要求応答メッセージ」のフォーマット図である。同図に示すように、「ドライブ記録要求応答メッセージ」は「メッセージ識別子」、「メッセージ順番号」、「セクターＩＤ」、「グループコード」、「要求拒否表示子」、「拒否理由」の各フィールドから構成される。
【００６７】
「メッセージ識別子」は、このメッセージが「ドライブ記録要求応答メッセージ」であることを示す情報である。「メッセージ順番号」は、「ドライブ記録要求メッセージ」について説明したものと同様である。
【００６８】
「セクターＩＤ」は、車両２−２に搭載されている携帯無線通信装置３０の在圏する基地局装置４のＩＤ番号を示す情報である。「グループコード」は、記憶装置をグルーピングする場合に、車両２−２のメモリ装置３４に記憶されるグループコードが設定される。
【００６９】
「要求拒否表示子」は、記録データを保存するか否かについての上記判断結果を示す情報である。「拒否理由」は、記録データを保存しないことを決定した場合に、その理由を示す情報である。
【００７０】
車両２−２における以上の処理について、図１３に示す処理フロー図を参照しながら、より詳細に説明する。
【００７１】
図１３は、車両２−２の処理フロー図である。同図に示すように、車両２−２は走行開始時などに記録データの取得を開始し（Ｓ６００）、取得記録データをリングバッファ状の記録データに記録する（Ｓ６０１）。「ドライブ記録要求報知メッセージ」を受信すると（Ｓ６０２）、車両２−２は、「ドライブ記録要求報知メッセージ」に含まれる位置データに基づき、該メッセージにより要求された場所を通過していたか否かを判断する（Ｓ６０３）。具体的には、リングバッファに記憶している位置データを読み出すことによって、これを判断する。
【００７２】
要求された場所を通過していなかったと判断した場合、車両２−２は「ドライブ記録要求報知メッセージ」に何らの応答をすることなく、処理を終了する。一方、要求された場所を通過していたと判断した場合、車両２−２は、記録データの上書きを防止するため、記録データの取得を一時停止する（Ｓ６０４）。又はリングバッファ内の記録データを一時記憶領域へ待避させることとしてもよい。
【００７３】
そして、記憶している記録データの記録時刻（保存データの時刻）と、「ドライブ記録要求メッセージ」に含まれる「記録時刻」と、を比較し、その関係によって、以下の処理を行う。すなわち、「記録時刻」が保存データの時刻内に含まれている場合（Ｓ６０５）には、記録データを保存することを決定したことを示す「要求拒否表示子」を「ドライブ記録要求応答メッセージ」に含めて送信する（Ｓ６０６）。また、「記録時刻」が保存データの時刻より後のものしかなかった場合（Ｓ６０７）には、記録データを保存しないことを決定したことを示す「要求拒否表示子」を「ドライブ記録要求応答メッセージ」に含めて送信する（Ｓ６０８）。この場合、車両２−２は、「拒否理由」に要求された記録時刻以前のデータしかない旨を含める。さらに、「記録時刻」が保存データの時刻より前のものしかなかった場合（Ｓ６０９）には、記録データを保存しないことを決定したことを示す「要求拒否表示子」を「ドライブ記録要求応答メッセージ」に含めて送信する（Ｓ６１０）。この場合、車両２−２は、「拒否理由」に要求された記録時刻以後のデータしかない旨を含める。
【００７４】
車両２−２は、以上のようにして「ドライブ記録要求応答メッセージ」の送信にかかる処理を行っている。
【００７５】
「ドライブ記録要求応答メッセージ」を受信した通信ネットワーク５は、「ドライブ記録要求応答トンネルメッセージ」を生成し、対応する「ドライブ記録要求メッセージ」を送信した車両２−１に対して、この「ドライブ記録要求応答トンネルメッセージ」を送信する。
【００７６】
図１４は、「ドライブ記録要求応答トンネルメッセージ」のフォーマット図である。同図にも示すように、「ドライブ記録要求応答トンネルメッセージ」は、「ドライブ記録送信要求メッセージ」の内容をそのまま含むトンネルメッセージである。
【００７７】
「ドライブ記録要求応答トンネルメッセージ」を受信した車両２−１は、該メッセージに含まれる「要求拒否表示子」に基づく処理を行う。具体的には、「要求拒否表示子」が記録データを保存することを決定したことを示している場合に、車両２−１は、通信ネットワーク５を介し、車両２−２に対して「ドライブ記録送信要求メッセージ」を送信する処理を行う。一方、「要求拒否表示子」が記録データを保存することを決定したことを示している場合には、特段の処理を行わない。
【００７８】
図１５は、「ドライブ記録送信要求メッセージ」のフォーマット図である。同図に示すように、「ドライブ記録送信要求メッセージ」は「メッセージ識別子」、「メッセージ順番号」、「セクターＩＤ」、「グループコード」、「記録時刻」、「記録時間長」、「送信先アドレス」の各フィールドから構成される。
【００７９】
「メッセージ識別子」は、このメッセージが「ドライブ記録送信要求メッセージ」であることを示す情報である。「メッセージ順番号」は、「ドライブ記録要求メッセージ」について説明したものと同様である。
【００８０】
「セクターＩＤ」は、車両２−１に搭載されている携帯無線通信装置３０の在圏する基地局装置４のＩＤ番号を示す情報である。「グループコード」は、記憶装置をグルーピングする場合に、車両２−１のメモリ装置３４に記憶されるグループコードが設定される。
【００８１】
「記録時刻」は、車両２−１が所定状態を検出したときに時計装置３３により取得された現在時刻データである。「記録時間長」は、各記憶装置において、本件に関し記録データを保存する期間（「記録時刻」からの期間）を示す情報である。
【００８２】
「送信先アドレス」は、各記憶装置が保存した記録データを送信すべき装置（例えばドライブレコーダ記録センター６）を示す情報である。車両２−１は、この情報を予め自身のメモリ装置３４に記憶しておき、「ドライブ記録送信要求メッセージ」生成時に「送信先アドレス」として該メッセージに含める。
【００８３】
以上のようなフォーマットを有する「ドライブ記録送信要求メッセージ」を受信した通信ネットワーク５は、「ドライブ記録送信要求トンネルメッセージ」を生成し、対応する「ドライブ記録要求応答メッセージ」を送信した車両２−２に対して、この「ドライブ記録送信要求トンネルメッセージ」を送信する。
【００８４】
図１６は、「ドライブ記録送信要求トンネルメッセージ」のフォーマット図である。同図にも示すように、「ドライブ記録送信要求トンネルメッセージ」は、「ドライブ記録送信要求メッセージ」の内容をそのまま含むトンネルメッセージである。
【００８５】
「ドライブ記録送信要求トンネルメッセージ」を受信した車両２−２は、「ドライブ記録要求報知メッセージ」に応じて開始した記録データの保存を、「記録時間長」により示される期間の終期に終了する。そして、保存した記録データを、ドライブレコーダ記録センター６に対して送信する。
【００８６】
図１７は、このとき車両２−２が送信する保存した記録データ（以下、保存データと称する）の一例を示す図である。同図に示すように、保存データは、例えば「時刻」、「時刻情報源」、「位置データ」、「画像データ」、「補助データ」を含んでいる。なお、この保存データにどの情報を含めるかについては、「ドライブ記録送信要求メッセージ」によって車両２−１が車両２−２に対して通知することとしてもよい。また、ここに挙げたデータ以外にも、各情報取得手段により取得しているデータを含めることができるのはもちろんである。
【００８７】
「時刻」は、記録データを記録した時刻である。この時刻は、車両２−２に備えられる時計装置３３によって計時されるものであり、「時刻情報源」は上記時刻情報源情報である。
【００８８】
「位置データ」は、記録データを記録した際の車両２−２の位置データである。「画像データ」は、上記「時刻」に示される時刻においてカメラ２７によって撮影された撮影データである。「補助データ」には、必要に応じ、例えば車両２−２に関する情報などの補助データが含められる。
【００８９】
ここで、上記処理を、図１１の通信ネットワーク５における処理フローを再度参照しながら、より詳細に説明する。
【００９０】
上述したように、車両２−１から「ドライブ記録要求メッセージ」を受信した通信ネットワーク５は、基地局装置選択を行いつつ、「ドライブ記録要求報知メッセージ」を各記憶装置に対して送信する（Ｓ５０１乃至Ｓ５０５）。
【００９１】
次に、通信ネットワーク５は「ドライブ記録要求応答メッセージ」を待機し（Ｓ５０６）、所定時間内に受信した場合には、「ドライブ記録要求応答トンネルメッセージ」を送信する（Ｓ５０８）。一方所定時間内に受信しなければタイムアウトして取り扱い（Ｓ５０７）、処理を終了する。
【００９２】
その後、通信ネットワーク５は「ドライブ記録送信要求メッセージ」を待機し（Ｓ５０９）、所定時間内に受信した場合には、「ドライブ記録送信要求トンネルメッセージ」を送信する（Ｓ５１１）。一方所定時間内に受信しなければタイムアウトして取り扱い（Ｓ５１０）、処理を終了する。
【００９３】
そして、通信ネットワーク５は「保存データ」を待機し（Ｓ５１２）、所定時間内に受信した場合には、「保存データ」を指定アドレスに転送する（Ｓ５１４）。一方所定時間内に受信しなければタイムアウトして取り扱い（Ｓ５１３）、処理を終了する。
【００９４】
通信ネットワーク５は、以上のようにして各記憶装置及びドライブレコーダ記録センター６の間で行われる信号の中継処理を行っている。
【００９５】
次に、ドライブレコーダ記録センター６に備えられる情報処理装置が、車両２−２によって送信された保存データに基づいて客観的な記録データを生成する処理について説明する。
【００９６】
図１８は、ドライブレコーダ記録センター６における客観的記録データ生成処理の処理フロー図である。同図では、ドライブレコーダ記録センター６は車両２−２及び車両２−３から保存データを受信したものとしている。
【００９７】
まずドライブレコーダ記録センター６は、各車両２から受信した保存データから、「時刻」の一致する保存データを選択し、保存データの組み合わせをいくつか取得する（Ｓ４００）。このとき、保存データに含まれる時刻情報源情報に基づき、時刻の精度に問題がある（時刻情報源情報が所定値でない）と判断される保存データについては取得しないこととしてもよい。
【００９８】
次に、ドライブレコーダ記録センター６は、取得した組み合わせに含まれる各保存データの「位置データ」の一致度を算出し、最も一致している（所定距離内にある）ことが示される組み合わせを選択する（Ｓ４０１）。そして、選択した組み合わせに含まれる保存データから「時刻」を取得し、時刻Ａとして記憶する（Ｓ４０２）。
【００９９】
さらに、ドライブレコーダ記録センター６は、時刻Ａのｘ秒前からｙ秒後（ｘ及びｙは所定値）までの保存データについて、保存データの組み合わせを生成し（Ｓ４０３）、組み合わせにかかる保存データに含まれる位置データを、地図上にプロットする（Ｓ４０４）。そして各プロット点に撮像データである画像ファイルをリンクさせる（Ｓ４０５）。具体的には、例えばプロット点をマウスでクリックすることにより画像ファイルが表示されるようにする。
【０１００】
続いて、ドライブレコーダ記録センター６は、他の車両からのデータを地図上にプロットし（Ｓ４０６）、客観的な記録データとする。以上のようにして、ドライブレコーダ記録センター６は、客観的な記録データを生成している。
【０１０１】
以上のようにして、レコーダシステム１は、事故・事件の客観的な記録データを収集している。すなわち、画像送信要求装置（車両２−１に含まれる記憶装置）は、ある移動体（車両２−１）が所定状態となったこと（例えば事故）を検出した際、記憶装置（車両２−２など）に事故当時の画像を示す画像情報を送信させることができるので、事故当事者移動体（車両２−１）に設置される記憶装置以外の記憶装置に事故当時の画像を示す画像情報を送信させることが可能になる。
【０１０２】
また、移動体（車両２−１）が所定状態となったことが検出された場合に、該所定状態が検出されたときの画像情報を画像送信要求装置（車両２−１に含まれる記憶装置）や他の装置（ドライブレコーダ記録センター６など）において記憶することができる。
【０１０３】
さらに、記憶装置（車両２−２）は、定期的に取得している画像情報の中から送信要求データを送信した記憶装置（車両２−１）で所定状態が検出されたときの画像情報を選出して送信することができる。
【０１０４】
また、通信ネットワーク５は、所定状態が検出されてからの経過時間に応じて、送信要求データを送信する記憶装置の位置の範囲を決定することができるようになる。
【０１０５】
なお、本発明は上記実施の形態に限定されるものではない。例えば、上記実施の形態では記録データを保存するのは車両２に搭載された記憶装置であるとして説明したが、固定設置型記憶装置３が記録データを保存し、かつドライブレコーダ記録センター６に送信することとしてもよいのはもちろんである。また、上記実施の形態では基地局装置４の選択を通信ネットワーク５が行っているが、記録を要求する車両２−１が行うこととしてもよい。
【０１０６】
また、車両２のシステム構成図として、図２に示した構成以外にも、例えば図１９に示す構成を採用することもできる。すなわち、同図では、制御装置１０、携帯無線通信装置３０、サンプリングタイミング保持装置３１、サンプリングタイミング同期装置３２、時計装置３３、メモリ装置３４を１つの携帯通信モジュール１１にまとめている。このようにすれば、本発明にかかる記憶装置を、モジュール商品として販売することができるようになる。
【０１０７】
なお、この場合原動機２４と携帯通信モジュール１１の間にインターフェース回路５０、加速度センサー２８と携帯通信モジュール１１の間にピークホールド回路５１、速度計２９と携帯通信モジュール１１の間にインターフェース回路５２をそれぞれ挿入することとすることが好適である。これらは、各情報取得手段により取得されるデータを、携帯通信モジュール１１で扱うことのできるデータに変換するための回路である。また、ピークホールド回路５１は、加速度センサー２８のピークを一時的に記憶しておくことにより、携帯通信モジュール１１が短時間の加速を示すデータを取得できるようにしている。
【図面の簡単な説明】
【０１０８】
【図１】本発明の実施の形態に係るレコーダシステムの構成図である。
【図２】本発明の実施の形態に係る車両のシステム構成図である。
【図３】本発明の実施の形態に係る車両の処理フロー図である。
【図４】本発明の実施の形態に係る車両の処理フロー図である。
【図５】本発明の実施の形態に係るサンプリングタイミング補正処理の説明図である。
【図６】本発明の実施の形態に係る車両の処理フロー図である。
【図７】本発明の実施の形態に係るレコーダシステムのシーケンス図である。
【図８】本発明の実施の形態に係るドライブ記録要求メッセージのフォーマット図である。
【図９】本発明の実施の形態に係るドライブ記録要求報知メッセージのフォーマット図である。
【図１０】本発明の実施の形態に係る基地局装置選択の説明図である。
【図１１】本発明の実施の形態に係る通信ネットワークの処理フロー図である。
【図１２】本発明の実施の形態に係るドライブ記録要求応答メッセージのフォーマット図である。
【図１３】本発明の実施の形態に係る車両の処理フロー図である。
【図１４】本発明の実施の形態に係るドライブ記録要求応答トンネルメッセージのフォーマット図である。
【図１５】本発明の実施の形態に係るドライブ記録送信要求メッセージのフォーマット図である。
【図１６】本発明の実施の形態に係るドライブ記録送信要求トンネルメッセージのフォーマット図である。
【図１７】本発明の実施の形態に係る記録データを示す図である。
【図１８】本発明の実施の形態に係るドライブレコーダ記録センターの処理フロー図である。
【図１９】本発明の実施の形態に係る車両のシステム構成図である。
【符号の説明】
【０１０９】
１  レコーダシステム、２  車両、３  固定設置型記憶装置、４  基地局装置、５  通信ネットワーク、６  ドライブレコーダ記録センター、１０  制御装置、１１  携帯通信モジュール、２１  ＧＰＳアンテナ、２２  ＧＰＳ受信機、２３  舵センサー、２４  原動機、２５  スロットルセンサー、２６  ブレーキセンサー、２７  カメラ、２８  加速度センサー、２９  速度計、３０  携帯無線通信装置、３１  サンプリングタイミング保持装置、３２  サンプリングタイミング同期装置、３３  時計装置、３４  メモリ装置、４０  タイミング、４１  サンプリングタイミング、５０  インターフェース回路、５１  ピークホールド回路、５２  インターフェース回路。
【図１】
2007013486.tif 000003
【図２】
2007013486.tif 000004
【図３】
2007013486.tif 000005
【図４】
2007013486.tif 000006
【図５】
2007013486.tif 000007
【図６】
2007013486.tif 000008
【図７】
2007013486.tif 000009
【図８】
2007013486.tif 000010
【図９】
2007013486.tif 000011
【図１０】
2007013486.tif 000012
【図１１】
2007013486.tif 000013
【図１２】
2007013486.tif 000014
【図１３】
2007013486.tif 000015
【図１４】
2007013486.tif 000016
【図１５】
2007013486.tif 000017
【図１６】
2007013486.tif 000018
【図１７】
2007013486.tif 000019
【図１８】
2007013486.tif 000020
【図１９】
2007013486.tif 000021